(57)【要約】 【課題】  フィルターユニットに設けられた櫛様スタビライザーの櫛歯先端側が、使用中又は洗浄中に倒れないようにする。そして、倒れることによるフィルターユニットの通気抵抗の増大を防止する。【解決手段】  この櫛様スタビライザー１は、ジグザグ状に折り畳まれたプリーツ型フィルター材１０の折り畳み間の各間隙１０ａ，１０ａ，１０ａ・・・に挿入するための櫛歯２，２，２・・・を備えたものである。隣り合う櫛歯２，２の基部近傍における対向する側面３ａ，３ａが上下に延設されてなる突起部５が設けられている。突起部５は、櫛様スタビライザー１に、所定の間隔で設けられている。各櫛歯２，２，２・・・には、その厚み方向に水抜き孔６，６，６・・・が設けられ、また、基部近傍の側面３ａ，３ａ，３ａ・・・に、返し７，７，７・・・が設けられているのが好ましい。【選択図】  図２
2007181786.tif 000002
【特許請求の範囲】
【請求項１】
ジグザグ状に折り畳まれたプリーツ型フィルター材の折り畳み間の各間隙に挿入するための櫛歯を備えた櫛様スタビライザーであって、隣り合う櫛歯の基部近傍における対向する側面が上下に延設されてなる突起部を所定の間隔で備えていることを特徴とする櫛様スタビライザー。
【請求項２】
各櫛歯の厚み方向に水抜き孔が設けられている請求項１記載の櫛様スタビライザー。
【請求項３】
各櫛歯の基部近傍の側面に、フィルター材に食い込む返しが設けられている請求項１又は２記載の櫛様スタビライザー。
【請求項４】
フィルター枠と、該フィルター枠内に収納されたジグザグ状に折り畳まれたプリーツ型フィルター材と、該プリーツ型フィルター材の折り畳み間の各間隙に、各櫛歯が挿入された櫛様スタビライザーとから構成されたフィルターユニットにおいて、
該櫛様スタビライザーは、隣り合う櫛歯の基部近傍における対向する側面が上下に延設されてなる突起部を、所定の間隔で備えていることを特徴とするフィルターユニット。
【請求項５】
フィルター枠は、四角筒型で且つプリーツ型フィルター材のジグザグ面が当接する上板又は下板に、水抜き溝が設けられている請求項４記載のフィルターユニット。
【発明の詳細な説明】
【技術分野】
【０００１】
本発明は、ジグザグ状に折り畳まれたプリーツ型フィルター材が収納されてなるフィルターユニットにおいて、プリーツ型フィルター材の折り畳み間の各間隙を保持するためのスタビライザーに関するものである。
【背景技術】
【０００２】
ジグザグ状に折り畳まれたプリーツ型フィルター材が収納されてなるフィルターユニットは、ビルの空気調和装置等に使用されている。このフィルターユニットは、ジグザグ状に折り畳まれたプリーツ型フィルター材の上下のジグザグ面に、上板及び下板を貼り付け、他の両側面に側板を貼り付けたものである。すなわち、上板、下板及び両側板で構成される四角筒型のフィルター枠にプリーツ型フィルター材が収納されてなるものである。
【０００３】
したがって、フィルター枠とプリーツ型フィルター材とを分離することができないので、使用後は、フィルターユニットを廃棄してしまうのが一般的であった。すなわち、一回の使用で廃棄するのであり、地球環境面からは好ましいものではなかった。
【０００４】
このため、フィルターユニットを洗浄し、プリーツ型フィルター材に捕捉されている塵埃を除去して、再使用することが行われている。しかしながら、フィルターユニットを洗浄水中に浸漬して、振動等を与えて、塵埃を除去しようとすると、プリーツ型フィルター材のプリーツが変形するということがあった。すなわち、プリーツ型フィルター材の折り畳み間隙が狭くなり、当初の間隙を保持し得ないということがあった。そして、このため、通気抵抗が高くなり、フィルター効率が低下するということがあった。そこで、図１に示すように、折り畳み間隙に、多数の櫛歯を備えた櫛様スタビライザーを挿入し、当初の間隙を保持することが試みられている（特許文献１）。
【０００５】
特許文献１に記載された櫛様スタビライザー１１は、各櫛歯１２を、プリーツ型フィルター材１０の折り畳み間隙に挿入する。そして、櫛歯１２の基部近傍の内側面１３に接着剤を塗布し、この内側面１３とプリーツ型フィルター材１０の山部１０ａを密着させて接着させる。この結果、プリーツ型フィルター剤１０に櫛様スタビライザー１１が固定されるのである。
【０００６】
【特許文献１】特開平６−３４３８０４号公報（第４頁、図５）
【発明の開示】
【発明が解決しようとする課題】
【０００７】
しかしながら、単に、櫛歯１２の基部近傍の内側面１３とプリーツ型フィルター材１０の山部１０ａとを接着剤で固定しただけでは、櫛様スタビライザー１１の固定が十分ではなく、櫛歯１２の基部近傍よりも先端側が上下に倒れるということがあった。この理由は、フィルターユニットを通過する空気は、水平に等速で通過するのではなく、上又は下を通過する空気は、中央部へ集まる傾向があるからである。すなわち、通過する空気が中央部へ集まろうとすると、フィルターユニットの上側に設けた櫛様スタビライザー１１の櫛歯１２先端は下へ倒れ、下側に設けた櫛様スタビライザー１１の櫛は１２先端は上へ倒れることになる。さらに、フィルターユニットを洗浄する際には、振動等により種々の力が負荷されるので、櫛歯１２の先端は、上下に倒れるのである。そして、櫛様スタビライザー１１の先端側が倒れると、それによって通気抵抗が高くなり、空気調和装置の処理能力が低下するという問題が生じる。
【０００８】
したがって、本発明の課題は、櫛様スタビライザー１１が空気の通過によって、又は洗浄時の力の負荷によって、上下に倒れるのを防止することにある。
【課題を解決するための手段】
【０００９】
すなわち、請求項１に係る発明は、ジグザグ状に折り畳まれたプリーツ型フィルター材の折り畳み間の各間隙に挿入するための櫛歯を備えた櫛様スタビライザーであって、隣り合う櫛歯の基部近傍における対向する側面が上下に延設されてなる突起部を所定の間隔で備えていることを特徴とする櫛様スタビライザーに関するものである。なお、櫛歯の厚み方向のことを上下と言う。
【００１０】
この櫛様スタビライザーを用いて、各櫛歯をプリーツ型フィルター材の折り畳み間の各間隙に挿入すると、各櫛歯の基部近傍の側面は、プリーツ型フィルター材の山部と密着する。そして、所定の間隔で設けられた突起部は、隣り合う櫛歯の基部近傍における対向する側面が上下に延設されてなるから、延設された側面もプリーツ型フィルター材の山部と密着する。この結果、櫛歯が下に倒れるような力が負荷された場合には、上に延設された側面が山部に密着しているので、櫛歯が下に倒れるのを防止しうる。また、櫛歯が上に倒れるような力が負荷された場合には、下に延設された側面が山部に密着しているので、櫛歯が上に倒れるのを防止しうる。
【００１１】
請求項２に係る発明は、各櫛歯の厚み方向に水抜き孔を設けた櫛様スタビライザーに関するものである。この櫛様スタビライザーが取り付けられたフィルターユニットを洗浄する際、洗浄水は水抜き孔を通って、各櫛歯を通過するので、洗浄水が上下に流動しやすくなり、洗浄水の流動抵抗で、櫛歯が上下に倒れにくくなる。
【００１２】
請求項３に係る発明は、各櫛歯の基部近傍の側面に、フィルター材に食い込む返しが設けられている櫛様スタビライザーに関するものである。この返しは僅少な凸部であり、この凸部がフィルター材の山部近傍に食い込むため、櫛様スタビライザーとプリーツ型フィルター材とが、より良好に固定される。
【００１３】
請求項４に係る発明は、上記した櫛様スタビライザーの各櫛歯を、プリーツ型フィルター材の折り畳み間の各間隙に挿入し、固定したフィルターユニットである。このフィルターユニットは、櫛様スタビライザーが上下に倒れにくくなっているものである。
【００１４】
請求項５に係る発明は、四角筒型のフィルター枠の上板又は下板に水抜き溝が設けられているフィルターユニットに関するものである。上板及び下板は、櫛様スタビライザーの上下方向に設けられているもので、プリーツ型フィルター材のジグザグ面が当接している板である。このフィルターユニットは、洗浄時又は洗浄後に、上板又は下板に滞留する洗浄水を、水抜き溝で排出するものである。
【００１５】
以上のような本発明に係る櫛様スタビライザー及びフィルターユニットを用いれば、フィルターユニットの使用中又は洗浄中に、櫛様スタビライザーの櫛歯の先端側が上下に倒れにくいので、通気抵抗が高くなるのを防止でき、空気調和装置の処理能力を低下させないという効果を奏する。なお、請求項５に係る発明は、さらにフィルター枠の上板又は下板に洗浄水が滞留しにくいので、上板又は下板の洗浄を良好に行えるという効果も奏する。
【発明を実施するための最良の形態】
【００１６】
図２は、本発明に一例に係る櫛様スタビライザー１の斜視図である。この櫛様スタビライザー１は、基体４から延びる櫛歯２が、多数並列に並んでいるものである。櫛様スタビライザー１には、所定の間隔で、突起部５が設けられている。この突起部５は、隣り合う櫛歯２，２間に設けられている。そして、櫛歯２，２の基部近傍及び基体４の上下に設けられている。突起部５の内側面３は、櫛歯２，２の側面３ａ，３ａが上下に延設されて形成されている。
【００１７】
図３は、本発明の他の例に係る櫛様スタビライザー１の斜視図である。この櫛様スタビライザー１の各櫛歯２，２，２・・・には、各々、厚み方向に水抜き孔６，６，６・・・が設けられている。この水抜き孔６は、櫛歯２の厚み方向に貫通した孔であり、洗浄水等の水が上下に流動しうる孔である。水抜き孔６の形態は任意であってよく、また、その大きさも任意であってよいが、櫛歯２の強度があまり低下しない形態で、しかも、その大きさはなるべく大きくするのが好ましい。したがって、図３に示した如く、櫛歯２の中央部に、櫛歯２の外形と相似形の孔であって、なるべく大きな孔とするのが好ましい。
【００１８】
図４は、本発明の他の例に係る櫛様スタビライザー１の平面図である。この櫛様スタビライザー１の各櫛歯２，２，２・・・には、返し７，７，７・・・が設けられている。返し７は、櫛歯２の基部近傍の側面３ａに設けられている。特に、櫛歯２の基部近傍の両側面３ａ，３ａに設けるのが好ましい。返し７は、フィルター材１０の山部１０ａ近傍に食い込む形状であれば、どのようなものであってもよい。具体的には、断面（水平方向の断面）が三角形や半円形の凸部であればよい。また、凸部の大きさは、数ミリ程度の僅少のものでよい。
【００１９】
本発明において最も好ましい態様は、突起部５が設けられていると共に、各櫛歯２，２，２・・・に水抜き孔６，６，６・・・が設けられており、さらに、各櫛歯２，２，２・・・に返し７，７，７・・・が設けられている態様であることは、言うまでもない。
【００２０】
図５は、図２に記載した櫛様スタビライザー１の各櫛歯２，２，２・・・を、プリーツ型フィルター材１０の折り畳み間の各間隙１０ｂ，１０ｂ，１０ｂ・・・に挿入する際の斜視図である。そして、この挿入を最後まで行うと、各櫛歯２，２，２・・・の基部近傍の側面は、プリーツ型フィルター材１０の山部１０ａと密着する。そして、プリーツ型フィルター材１０の各間隙１０ｂ，１０ｂ，１０ｂ・・・が当初の状態で保持されるのである。一般的には、各櫛歯２，２，２・・・の基部近傍の側面と密着するプリーツ型フィルター材１０の山部１０ａに、接着剤を塗布しておく。接着剤としては、ホットメルト接着剤を用い、これを加熱溶融又は軟化させた状態で塗布しておく。そして、ホットメルト接着剤が冷却する前に、櫛様スタビライザー１の各櫛歯２，２，２・・・の挿入を終了する。挿入終了後に、ホットメルト接着剤は冷却され、各櫛歯２，２，２・・・の基部近傍の側面と、プリーツ型フィルター材１０の山部１０ａとが接着する。この結果、櫛様スタビライザー１が確実に、プリーツ型フィルター材１０に固定されるのである。
【００２１】
図６は、本発明の一例に係るフィルターユニット１１の正面図である。なお、フィルターユニット１１の中央部は、図示するのを省略している。フィルターユニット１１は、プリーツ型フィルター材１０を囲繞し収納するためのフィルター枠を備えている。フィルター枠は、プリーツ型フィルター材１０のジグザグ面に当接する上板１２及び下板１３と、フィルター材１０の側面に当接し、上板１２の各端と下板１３の各端とをつなぐ側板１４，１４とからなる。そして、上板１２、下板１３及び側板１４，１４は、ジグザグの山谷に対応する幅を持っているため、これらの各板で構成されたフィルター枠は、一般的に四角筒型となっている。
【００２２】
フィルター枠に収納されたプリーツ型フィルター材１０には、上下方向に所定の間隔で、櫛様スタビライザー１，１，１・・・が挿入され固定されている。櫛様スタビライザー１は、フィルターユニット１１の正面側（通気側）のみでなく、背面側（排気側）にも挿入され固定されている。図６で実線で示したものが、正面側に設けられた櫛様スタビライザー１であり、破線で示したものが、背面側に設けられた櫛様スタビライザー１である。正面側の櫛様スタビライザー１と、背面側の櫛様スタビライザー１は、千鳥状に挿入され固定されている。この方が、プリーツ型フィルター材１０の各間隙の保持が確実になるからである。
【００２３】
フィルター枠の上板１２及び／又は下板１３には、水抜き溝１５が設けられているのが好ましい。この水抜き溝１５は、フィルターユニット１１を洗浄したときに、上板１２又は下板１３に洗浄水が滞留するのを防止するためのものである。水抜き溝１５は、上板１２及び／又は下板１３の任意の箇所に、任意の数だけ設けられる。また、水抜き溝１５の形状も任意であり、洗浄水を排出しうる形状であれば、どのようなものでもよい。
【産業上の利用可能性】
【００２４】
本発明に係る靴様スタビライザーは、フィルターユニットに使用しうるものである。そして、フィルターユニットは、ビルの空気調和装置等において、空気中等の塵埃を除去するのに使用しうるものである。
【図面の簡単な説明】
【００２５】
【図１】従来の櫛様スタビライザーの形態を示した斜視図である。
【図２】本発明に一例に係る櫛様スタビライザーの斜視図である。
【図３】本発明の他の例に係る櫛様スタビライザーの斜視図である。
【図４】本発明の他の例に係る櫛様スタビライザーの平面図である。
【図５】図２の櫛様スタビライザーを、プリーツ型フィルター材の折り畳み間の各間隙に挿入する際の斜視図である。
【図６】本発明の一例に係るフィルターユニットの正面図である。
【符号の説明】
【００２６】
１      櫛様スタビライザー
２      櫛歯
３      突起部の内側面
３ａ    櫛歯の側面
４      櫛様スタビライザーの基体
５      突起部
６      水抜き孔
７      返し
１０    プリーツ型フィルター材
１０ａ  山部
１０ｂ  間隙
１１    フィルターユニット
１２    上板
１３    下板
１４    側板
１５    水抜き溝
【図１】
2007181786.tif 000003
【図２】
2007181786.tif 000004
【図３】
2007181786.tif 000005
【図４】
2007181786.tif 000006
【図５】
2007181786.tif 000007
【図６】
2007181786.tif 000008